(57)【要約】【課題】ねじ及びガスケットを用いることなくスピーカをスピーカホルダが適切な力で挟持し、音質の劣化及びびびり音の発生を抑えることができるスピーカ取付構造を提供する。【解決手段】ボス５１１がフランジ部４１に形成された係合孔４１１を貫通し、カバー部５２がフランジ部４１の外部と接触し、押え部５３がフランジ部４１の背面側を押えることで、スピーカ４がスピーカホルダ５に保持されているスピーカ装置Ｓｐ。【選択図】図４
2011035577.tif 000002
【特許請求の範囲】
【請求項１】
音出し開口の周囲に形成されたフランジ部を備えるスピーカと、
柔軟性を有する防振材料で一体形成され前記スピーカを保持するスピーカホルダとを備え、電子機器のキャビネットに固定されるスピーカ装置であって、
前記スピーカホルダが、
前記フランジ部の正面側と接触する枠形状の緩衝部と、
前記緩衝部より突出し前記フランジ部に形成された係合孔を貫通したボスと、
前記緩衝部の辺縁部に連結され、互いに対向する一対のカバー部と、
前記緩衝部のボスの近傍に形成された一対の押え部と、
前記押え部の先端に連結され、固定用ねじで前記キャビネットに固定される固定部とを備えており、
前記ボスが前記係合孔を貫通し、前記一対のカバー部が前記フランジ部の外部と接触し、前記押え部が前記フランジ部の背面側を押えることで、前記スピーカが前記スピーカホルダに保持されていることを特徴とするスピーカ装置。
【請求項２】
前記固定部は前記固定用のねじが前記ボスの突出方向と交差する方向に配置されるように形成されている請求項１に記載のスピーカ装置。
【請求項３】
前記固定部は先端側が開いた形状を有している請求項１又は請求項２に記載のスピーカ装置。
【請求項４】
請求項１から請求項３のいずれかに記載のスピーカ装置をその緩衝部がフロントキャビネットの端部より立設された側壁と接触し、前記フロントキャビネットに固定するスピーカの取付構造であって、
前記フロントキャビネットの背面より突出し、前記固定用ねじが螺合されるねじ穴を備えたねじ止めボスと、前記フロントキャビネットの背面より突出し前記スピーカホルダの前記押え部と接触する一対の位置決めリブとを備えており、
前記緩衝部を前記側壁部と、前記押え部を前記位置決めリブと当接させ、前記固定部を前記ねじ止めリブに固定することで、前記押え部が前記フランジ部の背面側を押えるスピーカの取付構造。
【請求項５】
前記フロントキャビネットより前記側壁部と平行に突出する押えリブを備えており、
前記押えリブは、前記固定部が前記ねじ止めリブに固定されたとき、前記カバー部を前記フランジ部の背面側に押える請求項４に記載のスピーカの取付構造。
【請求項６】
前記リヤキャビネットが前記フロントキャビネットに取り付けられたとき、前記押えリブと対向するように前記リヤキャビネットに形成された押えリブを備えており、
前記リヤキャビネットが前記フロントキャビネットに取付固定されたとき、前記フロントキャビネット及び前記リヤキャビネットに形成されている押えリブが前記一対のカバー部それぞれを前記フランジ部の背面側に押さえつける請求項５に記載のスピーカの取付構造。
【請求項７】
前記電子機器は薄型テレビジョン受像機である請求項４から請求項６のいずれかに記載のスピーカの取付構造。
【発明の詳細な説明】
【技術分野】
【０００１】
本発明は、液晶テレビジョン受像機のような薄型テレビジョン受像機の内部に取り付けられるスピーカ装置及びそのスピーカ装置を取り付けるためのスピーカの取付構造に関するものである。
【背景技術】
【０００２】
近年、ＬＣＤ（液晶ディスプレイパネル）やＰＤＰ（プラズマディスプレイパネル）を用いた薄型のテレビジョン受像機が主流となってきている。薄型テレビジョン受像機は、長方形状の正面部と、正面部の４辺それぞれよりリヤ側に立設された側壁部とを備えたフロントキャビネットと、前記フロントキャビネットの背面側を覆うリヤキャビネットと、前記フロントキャビネットに取り付けられ、音を出力するスピーカとを有している。薄型テレビジョン受像機において、正面からの見た目をシンプルなものとするため、前記スピーカからの音が通過するための孔が前記フロントキャビネットの正面から見えない位置（側壁部等）に形成されている場合が多い。
【０００３】
前記スピーカは振動板露出する音出し開口が前記フロントキャビネットの側壁部に形成された孔と対向するように配置される。このとき、前記スピーカのフランジ部をスピーカホルダで保持し、前記スピーカホルダを前記側壁部と当接させて固定されている。
【０００４】
前記スピーカホルダとして前記スピーカの前記フランジ部を挟持できる弾性変形可能な係合枠部を複数個備えた樹脂製のものが提案されている（例えば、登録実用新案第３０８１７４７号公報、登録実用新案第３０６３２９７号公報等参照）。前記スピーカホルダは前記係合枠部で前記フランジ部を係合することで、前記スピーカを保持することができる。
【０００５】
前記スピーカを前記スピーカホルダで保持するとき、前記スピーカと前記スピーカホルダとの接触強さが強すぎると前記振動板の動きが悪くなり音質が悪くなる。逆に、前記スピーカと前記スピーカホルダとの接触強さが小さいとびびり音が発生する。そこで、前記スピーカを前記スピーカホルダに取り付けるときに前記スピーカホルダと前記フランジ部との間に弾性を有するガスケットを取り付け、前記スピーカと前記スピーカホルダとの接触強さを適当に調整するようにしている。
【先行技術文献】
【特許文献】
【０００６】
【特許文献１】登録実用新案第３０８１７４７号公報
【特許文献２】登録実用新案第３０６３２９７号公報
【発明の概要】
【発明が解決しようとする課題】
【０００７】
登録実用新案第３０８１７４７号公報或いは登録実用新案第３０６３２９７号公報に記載のスピーカホルダでは、加熱や経年変化によって変形を起こし、前記スピーカとの接触強さ強くなる又は弱くなる場合がある。これらの場合であってもある程度は前記ガスケットの弾性によって、接触強さの変化を調整しているが、変化が大きくなりすぎると調整できなくなり、音質低下やびびり音が発生する。
【０００８】
そこで、変形可能で振動吸収性の高い材料（ゴム、ウレタン等）で前記スピーカホルダを形成することで音質の低下、びびり音の発生を抑える方法が考えられる。しかしながら、変形可能で振動吸収性の高い材料で形成したスピーカホルダの場合、前記スピーカを適切な力で保持するための十分な強度を有していない場合が多く、ねじを使わずに前記スピーカを安定した力で保持するのは困難である。
【０００９】
そこで本発明は、ねじ及びガスケットを用いることなくスピーカにスピーカホルダを取り付けることができ、長期間にわたり音質の劣化及びびびり音の発生を抑えることができるスピーカ取付構造を提供することを目的とする。
【課題を解決するための手段】
【００１０】
上記目的を達成するために本発明は、音出し開口の周囲に形成されたフランジ部を備えるスピーカと、柔軟性を有する防振材料で一体形成され前記スピーカを保持するスピーカホルダとを備え、電子機器のキャビネットに固定されるスピーカ装置であって、前記スピーカホルダが、前記フランジ部の正面側と接触する枠形状の緩衝部と、前記緩衝部より突出し前記フランジ部に形成された係合孔を貫通するボスと、前記緩衝部の辺縁部に連結され、対向する一対のカバー部と、前記緩衝部のボスの近傍に形成された一対の押え部と、前記押え部の先端に連結され、固定用ねじで前記キャビネットに固定される固定部とを備えており、前記ボスが前記係合孔を貫通し、前記一対のカバー部が前記フランジ部の外部と接触し、前記押え部が前記フランジ部の背面側を押えることで、前記スピーカが前記スピーカホルダに保持されているスピーカ装置を提供する。
【００１１】
この構成によると、ねじ等の締め付け部材やガスケット等の緩衝部材を用いることなく、前記スピーカホルダで前記スピーカを強すぎず、弱すぎない適切な力で保持することが可能である。これにより、構成部品を減らし、組みつけにかかる手間及び時間を省くことができる。
【００１２】
また、適切な力で保持することができるので、音質の劣化やびびり音といった不具合の発生を抑制することができる。また、前記スピーカホルダが柔軟性を有する材料で形成されているので、従来の剛性の高いスピーカホルダでは取り付けが困難であった場所にも簡単に取り付けることができる。これにより、作業性、効率が向上し、製造のコストを削減することができる。
【００１３】
上記構成において、前記固定部は前記固定用のねじが前記ボスの突出方向と交差する方向に配置されるように形成されていてもよい。この構成によると、前記スピーカの前記音出し開口を前記キャビネットと交差するように取り付ける場合であっても、前記固定用ねじを前記キャビネットに取り付けることができるので、作業性がよい。これにより、組立て、メンテナンスにかかる手間と時間を減らすことができ、コストを削減することができる。
【００１４】
上記構成において、前記固定部は先端側が開いた形状を有していてもよい。この構成によると、前記固定部の一部が開放されているので容易に変形することができる。これにより、前記キャビネットの内部の空間に余裕がない場合でも、変形させつつ取り付けることができ、組立ての手間を省くことができる。
【００１５】
上記目的を達成するため本発明は、上記構成のスピーカ装置をその緩衝部がフロントキャビネットの端部より立設された側壁と接触し、前記フロントキャビネットに固定するスピーカの取付構造であって、前記フロントキャビネットの背面より突出し、前記固定用ねじが螺合されるねじ穴を備えたねじ止めボスと、前記フロントキャビネットの背面より突出し前記スピーカホルダの前記押え部と接触する一対の位置決めリブとを備えており、前記緩衝部を前記側壁部と、前記押え部を前記位置決めリブと当接させ、前記固定部を前記ねじ止めリブに固定することで、前記押え部が前記フランジ部の背面側を押えるスピーカの取付構造を提供することができる。
【００１６】
上記構成において、前記フロントキャビネットより前記側壁部と平行に突出する押えリブを備えており、前記押えリブは、前記固定部が前記ねじ止めリブに固定されたとき、前記カバー部を前記フランジ部の背面側に押える。これによると、前記スピーカホルダを前記スピーカに密着させることができるので、音洩れ、びびり音の発生を抑制することができる。
【００１７】
上記構成において、前記リヤキャビネットが前記フロントキャビネットに取り付けられたとき、前記押えリブと対向するように前記リヤキャビネットに形成された押えリブを備えており、前記リヤキャビネットが前記フロントキャビネットに取付固定されたとき、前記フロントキャビネット及び前記リヤキャビネットに形成されている押えリブが前記一対のカバー部それぞれを前記フランジ部の背面側に押さえつけるものであってよい。
【００１８】
上記構成の電子機器として、薄型テレビジョン受像機を挙げることができる。
【発明の効果】
【００１９】
本発明によると、ねじ及びガスケットを用いることなくスピーカにスピーカホルダを取り付けることができ、長期間にわたり音質の劣化及びびびり音の発生を抑えることができるスピーカ取付構造を提供することができる。
【図面の簡単な説明】
【００２０】
【図１】液晶テレビジョン受像機のフロントキャビネットとリヤキャビネットとを分解した状態の斜視図である。
【図２】図１に示すフロントキャビネットにスピーカを取り付けた状態の背面図である。
【図３】スピーカとスピーカホルダとを分離した状態の斜視図である。
【図４】スピーカ装置の側面図である。
【図５】図４に示すスピーカ装置の平面図である。
【図６】フロントキャビネットのスピーカ取付部を拡大した背面図である。
【図７】本発明にかかるスピーカ取付構造でスピーカ取付部の要部を拡大した拡大図である。
【図８】リヤキャビネットを閉じた状態での側面側から見た断面図である。
【発明を実施するための形態】
【００２１】
以下に本発明の実施形態を図面を参照して説明する。図１は液晶テレビジョン受像機のフロントキャビネットとリヤキャビネットとを分解した状態の斜視図であり、図２は図１に示すフロントキャビネットにスピーカを取り付けた状態の背面図である。
【００２２】
図１に示すように、液晶テレビジョン受像機Ａは、液晶表示ユニット１と、液晶表示ユニット１の背面側をカバーするリヤキャビネット２と、液晶表示ユニット１の正面側をカバーするフロントキャビネット３とを有している。また、図示を省略しているが、リヤキャビネット２には、スタンドが取り付けられている。フロントキャビネット３及びリヤキャビネット２はそれぞれ、樹脂の成型品である。
【００２３】
液晶表示ユニット１は、液晶パネルを含む画像表示装置であり、液晶パネルを囲む直方体形状の金属製のフレーム１０を有している。フレーム１０は正面に画像表示部を備えており、背面に液晶テレビジョン受像機Ａの動作を制御するための配線基板ＰＢが取り付け固定されている。
【００２４】
リヤキャビネット２は、長方形状の背面を有しており、長方形状の外縁より正面側に立設された側壁２０を備えている。また、背面には、配線基板ＰＢに備えられている外部接続端子（不図示）の先端を外部に露出させるための端子孔が複数個形成されている。
【００２５】
フロントキャビネット３は正面視横長の長方形状であり、正面の外縁から背面に向かって立設された側壁３０を備えている。フロントキャビネット３の中心部には、長方形状の開口３１が形成されており、開口３１から画像表示部が見えるように、液晶表示ユニット１が位置決め配置されている。フロントキャビネット３は下部に余裕があり、下部の左右両端部に、２個のスピーカ装置Ｓｐがそれぞれ取り付けられている。
【００２６】
次に、本発明にかかるスピーカ装置について図面を参照して詳しく説明する。図３はスピーカとスピーカホルダとを分離した状態の斜視図であり、図４はスピーカ装置の側面図であり、図５は図４に示すスピーカ装置の平面図である。
【００２７】
図に示すように、スピーカ装置Ｓｐはスピーカ４と、スピーカ４を保持するスピーカホルダ５とを備えている。スピーカ４は振動板からの音が外部に放出される開口である音出し開口４０と、音出し開口４０の周囲より突出した長方形状のフランジ部４１とを備えている。スピーカ装置Ｓｐはスピーカ４と側壁３０との間にスピーカホルダ５介在するようフロントキャビネット３に取り付けられる。スピーカ４は音出し開口４０が、フロントキャビネット３の下部に形成されている側壁３０と対向するように配置されている。
【００２８】
スピーカホルダ５は、ウレタン、防振ゴム等の弾性変形可能な防振材料で一体成型されている。図３に示すように、スピーカホルダ５はフランジ部４１の音出し開口４０側（正面側）と接触する長方形枠状の緩衝部５１と、緩衝部５１の長辺の端縁部より立設したカバー部５２と、緩衝部５１の短辺の中央部から立設され、フランジ部４１の短辺を押える押え部５３と、押え部５３の先端に一体的に形成されフロントキャビネット３にねじ止め固定される固定部５４とを備えている。
【００２９】
図に示すように、緩衝部５１にはスピーカ４の音出し開口４０より出た音が通過する貫通窓５１０が形成されている。さらに、緩衝部５１の四隅には、ボス５１１が立設形成されている。ボス５１１はスピーカ４に向かって立設されており、フランジ部４１に形成されている係合孔４１１を貫通する。ボス５１１が係合孔４１１を貫通することで、スピーカ４のフランジ部４１がスピーカホルダ５の緩衝部５１に対して位置決めされる。
【００３０】
カバー部５２は緩衝部５１より突出した壁部材である。カバー部５２は柔軟性を有するとともに、薄く形成されている。カバー部５２は緩衝部５１より突出して形成されているが、小さな力で折り曲げることができる。これの性質を利用して後述する押えリブで押えられて、先端側がフランジ部４１の正面側に回り込むとともに、フランジ部４１と密接する。これにより、スピーカ４からの音漏れを抑制することができる。
【００３１】
押え部５３はフランジ部４１の短辺部の背面側を押える部材である。押え部５３はフランジ部４１の端部が係合される係合凹部５３１を備えている。図４において矢印で示すように、スピーカホルダ５は上述したように弾性変形可能な材料で形成されているので、押え部５３は外側に向かって下部を中心に開閉（回動）できる。これにより、押え部５３を外側に開いておき、フランジ部４１を緩衝部５１と当接させた後、押え部５３を戻すことで、押え部５３でフランジ部４１の背面側を押えることが可能である。
【００３２】
ボス５１１がフランジ部４１の係合孔４１１を正面側から貫通し、押え部５３がフランジ部４１の短辺の中央部を背面側から押えることで、スピーカホルダ５がスピーカ４のフランジ部４１の短辺を挟持している。なお、ボス５１１は四隅に、押え部５３は両短辺にそれぞれ形成されているので、フランジ部４１の両短辺はボス５１１と押え部５３とで挟持され、スピーカホルダ５はスピーカ４を安定して保持している。
【００３３】
固定部５４は押え部５３と反対側の端部が開いた曲面形状を有している。なお、固定部５４は円筒の一部を、中心軸に沿う方向に切断した形状を有している。固定部５４には、スピーカホルダ５をフロントキャビネット３に取り付けるときに、ねじＳｃが取り付けられる。固定部５４は円筒の一部を切断した形状を有していることより、変形させて狭い（取り付け位置に隙間がない）部分にも取付が可能であるが、これに限定されるものではなく、円筒形状のものであってもよい。
【００３４】
本発明のスピーカ取付構造の詳細について図面を参照して説明する。図６はフロントキャビネットのスピーカ取付部を拡大した背面図であり、図７は本発明にかかるスピーカ取付構造でスピーカ取付部の要部を拡大した拡大図であり、図８はリヤキャビネットを閉じた状態での側面側から見た断面図である。なお、図８の断面図においては、本発明の要部であるスピーカホルダ及びフロントキャビネットの断面を示している。
【００３５】
図６に示すように、フロントキャビネット３のスピーカ取付部３２は、ねじＳｃが螺合されるねじ穴３３１を備え、フロントキャビネット３の背面より突出した一対のねじ止めボス３３と、フロントキャビネット３の背面側に突出し、下側の側壁部３０と平行に形成された押えリブ３４と、ねじ止めボス３３の外側に形成されスピーカ装置Ｓｐの左右方向の位置を決めるための位置決めリブ３５とを備えている。図６に示すように、ねじ止めボス３３と位置決めリブ３５とは近接して配置されている。なお、固定部５４が先端の開放された形状を有し、なおかつ、スピーカホルダ５が弾性変形可能な（柔軟性を有する）材料で形成されているので、ねじ止めボス３３と位置決めリブ３５とが接近していても、固定部５４をねじ止めリブ３５に取り付けることができ、ねじＳｃで固定することができる。
【００３６】
スピーカ装置Ｓｐのスピーカ取付部３２への取り付けについて図面を参照して説明する。図７に示すように、スピーカ装置Ｓｐはスピーカ取付部３２にスピーカ４の音出し開口４０が側壁３０と対向するように配置されている。固定部５４をねじＳｃでねじ止めリブ３３に固定し、押え部５３が外側に倒れないように位置決めリブ３５に押えられている。これにより、スピーカ装置Ｓｐはスピーカ取付部３２にしっかりと固定されている。なお、固定部５４とねじ止めリブ３３とをねじ止めするねじＳｃには、固定部５４の端部を安定して押すために、座金を用いてもよく、座金つきの頭を有するねじを用いてもよい。
【００３７】
また、固定部５４とねじ止めリブ３３とを軸方向に隣り合わせてねじ止めしているが、固定部５４をねじ止めリブ３３に外嵌させてもよい。このとき、固定部５４の端部をねじ止めリブ３３の先端よりも突出するように形成しておき、ねじの座金（又は頭）で端部を押すことで、固定するようにしてもよい。また、固定部の固定はねじに限定されるものではない。
【００３８】
押え部５３は固定部５４と一体に形成されているので、固定部５４がねじ止めリブ３３に固定され、位置決めリブ３５で移動が制限されていることで、押え部５３がフランジ部４１の背面側を押さえつける。これにより、緩衝部５１が両短辺に備えられた押え部５３に引張られ、緩衝部５１とフランジ部４１の正面側とが密接し、スピーカ４からの音がスピーカ４とスピーカホルダ５との間から漏れるのを抑制することができる。
【００３９】
図８に示すように、また、固定部５４をねじＳｃでねじ止めリブ３３に固定したことで、スピーカ装置Ｓｐはフロントキャビネット３に押し付けられる。フランジ部４１の長辺の緩衝部５１及びカバー部５２にて挟まれた部分が、側壁３０と押えリブ３４との間に押し付けられる。これにより、緩衝部５１は側壁３０に、カバー部５２は押えリブ３４に押されて、それぞれ、フランジ部４１の正面側、背面側に密着し、音漏れを抑制する。なお、図８では、側壁部３０に緩衝部５１が直接接触するものが示されているが、これに限定されるものではなく、側壁部３０に緩衝部５１を受けるための受け部が形成されていてもよい。このとき、この受け部が側壁部３０に対して、前後或いは左右に傾いているものであってもよい。
【００４０】
フロントキャビネット３のスピーカ取付部３２にスピーカ装置Ｓｐを取り付けた状態で、フロントキャビネット３のリヤ側からリヤキャビネット２を取り付ける。このとき、リヤキャビネット２にはフロントキャビネット３と同様に、側壁２０と平行な押えリブ２１が形成されており、押えリブ２１がカバー部５２を押す。これにより、リヤキャビネット２に面する緩衝部５１は側壁２０に、カバー部５２は押えリブ２１に押され、それぞれ、フランジ部４１の正面側、背面側に密着し、音漏れを抑制する。
【００４１】
そして、リヤキャビネット２をフロントキャビネット３に押さえつけることで、フランジ部４１は緩衝部５１及びカバー部５２とで覆われた状態で、側壁２０と押えリブ２１との間隙に押し込まれる。また、フロント側も同様に、フランジ部４１は緩衝部５１及びカバー部５２とで覆われた状態で、側壁３０と押えリブ３４との間隙に押し込まれる。
【００４２】
これにより、緩衝部５１及びカバー部５２がフランジ部４１に強く押さえつけられるので、フランジ部４１と緩衝部５１及びカバー部５２との間に隙間が形成されにくく、音漏れしにくい。また、スピーカ４にスピーカホルダ５を密着させているので、スピーカ４とスピーカホルダ５との間のびびり音の発生を抑制することができる。また、緩衝部５１が側壁２０、３０と密着するので、スピーカホルダ５とフロントキャビネット３及びリヤキャビネット２との間のびびり音の発生も抑制される。
【００４３】
さらに、スピーカホルダ５は防振性を有する材料で形成されているので、ある程度の柔軟性を有しており、カバー部５２が押えリブ２１、３４に強く押えられたとしても、スピーカ４に作用する力は緩和される。これにより、スピーカ４は適度な力でフロントキャビネット３及びリヤキャビネット２に押さえつけられて保持されているので、振動板の動作が制限されることによる音質の劣化やびびり音の発生といった不具合を抑制することができる。
【００４４】
以上示したように、防振性を有するやわらかい材料で形成されたスピーカホルダを用い、スピーカとスピーカホルダとの固定にねじ等の締め付け具を用いることなく、しっかりと締め付けることができ、適切な強さでキャビネットに取り付けることができるスピーカ取付構造を提供することができる。また、スピーカホルダ自体が防振性を有する弾性材料で形成されているので、防振用のガスケットを取り付けなくてもよく、構成部材を減らすことができるとともに、組立て、取付の手間を省くことができる。
【００４５】
なお、上記実施形態において、スピーカのフランジ部として長方形状を有しているものが記載されているが、これに限定されているものではない。例えば、楕円形、円形のフランジ部を備えている場合、カバー部をフランジ部の曲線に沿うように形成するものを例示することができる。
【産業上の利用可能性】
【００４６】
本発明は、薄型テレビジョン受像機へのスピーカの取り付けに利用することが可能である。
【符号の説明】
【００４７】
Ａ  液晶テレビ受信機
ＰＢ  配線基板
Ｓｐ  スピーカ装置
Ｓｃ  ねじ
１  液晶表示ユニット
１０  フレーム
２  リヤキャビネット
２０  側壁
２１  押えリブ
３  フロントキャビネット
３０  側壁
３１  開口
３２  スピーカ取付部
３３  ボス
３３１  ねじ穴
３４  押えリブ
３５  位置決めリブ
４  スピーカ
４０  音出し開口
４１  フランジ部
５  スピーカホルダ
５１  緩衝部
５１１  ボス
５２  カバー部
５３  押え部
５４  固定部
【図１】
2011035577.tif 000003
【図２】
2011035577.tif 000004
【図３】
2011035577.tif 000005
【図４】
2011035577.tif 000006
【図５】
2011035577.tif 000007
【図６】
2011035577.tif 000008
【図７】
2011035577.tif 000009
【図８】
2011035577.tif 000010